(57)【特許請求の範囲】
【請求項１】
車両のドアへの取付部を備えたハンドルベースと、
前記ハンドルベースに初期回転位置と操作回転位置との間で回転自在に連結されるロックノブとを有し、
前記ロックノブは、軸形成部を備えてハンドルベースの表面側から裏面方向に所定の移動経路を移動可能に形成されるとともに、
該ロックノブには、ドア内に配置されるドアロック装置に一端が連結される操作力伝達部材の他端部に形成されたノブ連結端に弾発的に係止可能な伝達部材連結部が設けられ、
前記ハンドルベースには、前記移動経路に沿ったロックノブの移動操作により前記軸形成部を弾発的に係止可能な軸形成部受容部と、
前記ノブ連結端を前記伝達部材連結部の連結操作力に比して大きな保持力で離脱可能に保持する保持部とが設けられ、
かつ、前記ハンドルベースのドアへの取付部が、前記ロックノブの全回転姿勢におけるハンドルベースへの正面からの投影領域に配置されている車両のハンドル装置。
【請求項２】
ハンドルベース、およびハンドルベースに回転自在に連結されるロックノブを有するハンドル装置を車両のドアに取り付けるハンドル装置の取付方法であって、
前記ハンドルベースには、ドアに固定されるドアロック装置に一端が連結される操作力伝達部材の他端部に形成されたノブ連結端が保持され、
前記ドアに前記ハンドルベースを前記ロックノブにより覆われる位置において固定した後、
ロックノブをハンドルベースの表面側から該ハンドルベースに弾発係止させて前記ハンドルベースのドアへの固定部位をロックノブにより覆うとともに、該ロックノブをハンドルベースに対して回転自在に連結し、
かつ、前記ロックノブのハンドルベースの弾発係止動作時に該ロックノブに前記ノブ連結端を弾発係止させて連結するハンドル装置の取付方法。
【発明の詳細な説明】
【技術分野】
【０００１】
本発明は、車両のハンドル装置に関するものである。
【背景技術】
【０００２】
車両のハンドル装置としては、特許文献１に記載のものが知られている。この従来例において、ハンドル装置は、ベース（ハンドルベース）にインサイドハンドルとロックノブとを連結して形成され、ハンドルベースに開設した挿通孔を挿通するネジ部材を使用してドアに固定される。
【先行技術文献】
【特許文献】
【０００３】
【特許文献１】特開２０００-８７６００号公報
【発明の概要】
【発明が解決しようとする課題】
【０００４】
しかし、上述した従来例において、ハンドル装置をドアに固定した状態において、ネジ部材の頭部が外部に露出するために、見栄えが悪いという問題がある。
【０００５】
この問題は、ネジ頭部をハンドルベースに装着されるキャップ等により覆い隠すことにより解消可能であるが、この場合、キャップ等が必要となり、コスト上昇要因となる。
【０００６】
本発明は、以上の欠点を解消すべくなされたものであって、美観を損なうことなく安価な車両のハンドル装置の提供を目的とする。
【０００７】
また、本発明に他の目的は、上記ハンドル装置の取付方法の提供にある。
【課題を解決するための手段】
【０００８】
本発明によれば上記目的は、
車両のドアへの取付部１を備えたハンドルベース２と、
前記ハンドルベース２に初期回転位置と操作回転位置との間で回転自在に連結されるロックノブ３とを有し、
前記ロックノブ３は、軸形成部４を備えてハンドルベース２の表面側から裏面方向に所定の移動経路を移動可能に形成されるとともに、
該ロックノブ３には、ドア内に配置されるドアロック装置６に一端が連結される操作力伝達部材７の他端部に形成されたノブ連結端８に弾発的に係止可能な伝達部材連結部９が設けられ、
前記ハンドルベース２には、前記移動経路に沿ったロックノブ３の移動操作により前記軸形成部４を弾発的に係止可能な軸形成部受容部５と、
前記ノブ連結端８を前記伝達部材連結部９の連結操作力に比して大きな保持力で離脱可能に保持する保持部１０とが設けられ、
かつ、前記ハンドルベース２のドアへの取付部１が、前記ロックノブ３の全回転姿勢におけるハンドルベース２への正面からの投影領域に配置されている車両のハンドル装置をハンドル装置により達成される。
【０００９】
ハンドル装置は、ハンドルベース２に連結されるロックノブ３を有して構成され、ハンドルベース２に形成された取付部１においてドアに固定される。
【００１０】
また、ロックノブ３は、ハンドルベース２に連結された状態で非操作状態に対応する初期回転位置と、所定のストローク回転操作してドアロック装置６に対するラッチ解除動作等を行う操作回転位置との間で回転操作される。
【００１１】
ハンドルベース２の取付部１をロックノブ３の全回転姿勢におけるハンドルベース２への正面からの投影領域に配置する本発明において、取付部１が孔状に形成され、止着子等を使用した取り付け作業が行われるような場合には、取付部１に装着される止着子の頭部はロックノブ３により覆われて視界から遮断されるために、特別な頭部を覆う部材が不要になり、コスト低減が可能になる。
【００１３】
本発明において、ハンドル装置は、ハンドルベース２とロックノブ３とを有し、ロックノブ３にはハンドルベース２に形成される軸形成部受容部５に弾発係止可能な軸形成部４が設けられる。
【００１４】
ロックノブ３は、ハンドルベース２に形成される適宜のガイド部にガイドされてハンドルベース２の表面側から裏面方向に所定間隔、所定の移動経路に沿って移動可能に形成され、結果、軸形成部４も所定の移動経路に沿って移動することができる。
【００１５】
一方、ハンドルベース２に形成される軸形成部受容部５は、ロックノブ３がハンドルベース２の表面側から裏面に向かう移動経路を移動操作されると、軸形成部４と軸形成部受容部５とが弾発的に係止し合ってロックノブ３の回転軸が形成される。
【００１６】
したがって本発明において、まず、ハンドルベース２を車両に固定した後、単にロックノブ３を押し込むだけで車両に取り付けることができるために、別途ロックノブ３のハンドルベース２への連結操作が不要となり、車両への取り付け作業性を向上させることが可能になる。
【００１８】
ロックノブ３には操作力伝達部材７のノブ連結端８を弾発的に係止可能な伝達部材連結部９が設けられ、さらに、ハンドルベース２には、ノブ連結端８を移動経路の終端方向に離脱可能に保持する保持部１０が設けられる。
【００１９】
したがって本発明において、ノブ連結端８を保持部１０に予め保持した状態でロックノブ３の連結操作を行うと、ロックノブ３の伝達部材連結部９は連結動作途上においてノブ連結端８を弾発係止するために、別途の連結操作が不要となり、ドアへの取り付け作業性をさらに向上させることが可能になる。
【００２０】
また、上記目的を達成するための本発明の他の態様として、
ハンドルベース２、およびハンドルベース２に回転自在に連結されるロックノブ３を有するハンドル装置を車両のドアに取り付けるハンドル装置の取付方法であって、
前記ハンドルベース２には、ドアに固定されるドアロック装置６に一端が連結される操作力伝達部材９の他端部に形成されたノブ連結端８が保持され、
前記ドアに前記ハンドルベース２を前記ロックノブ３により覆われる位置において固定した後、
ロックノブ３をハンドルベース２の表面側から該ハンドルベース２に弾発係止させて前記ハンドルベース２のドアへの固定部位をロックノブ３により覆うとともに、該ロックノブ３をハンドルベース２に対して回転自在に連結し、
かつ、前記ロックノブ３のハンドルベース２の弾発係止動作時に該ロックノブ３に前記ノブ連結端８を弾発係止させて連結するハンドル装置の取付方法を構成することができる。
【００２１】
ハンドル装置を車両に固定するに際し、まず、ハンドルベース２を車両のドアに固定し、その後、固定部位を覆うようにしてロックノブ３を装着して該ロックノブ３をハンドルベース２に回転自在に連結する。
【００２２】
したがって本発明において、ハンドルベース２のドアへの固定部位がその後に装着されるロックノブ３により覆われるために、別途固定部を覆う部品を要することがないために、製造コストを低減させることが可能になる。
【００２４】
本発明において、ロックノブ３の装着操作とともに、ロックノブ３へのノブ連結端８の連結操作も行うことができるために、組み付け作業性を向上させることが可能になる。
【発明の効果】
【００２５】
本発明によれば、ハンドルベースのドアへの取付部をロックノブにより覆うために、美観が向上し、かつ、特別の遮蔽部品を要しないために、コスト上昇をもたらすこともない。
【図面の簡単な説明】
【００２６】
【図１】本発明を示す正面図である。
【図２】本発明の背面図である。
【図３】図１の３Ａ-３Ａ線断面図である。
【図４】本発明の要部断面図で、（ａ）は図１の４Ａ-４Ａ線断面図、（ｂ）は図２の４Ｂ-４Ｂ線断面図である。
【図５】ハンドル装置の組立状態を示す図で、（ａ）はドアにハンドルベースを固定した状態を示す図、（ｂ）は（ａ）の５Ｂ-５Ｂ線断面図である。
【図６】ロックノブの装着操作を示す図で、（ａ）は図４（ａ）に対応する図、（ｂ）は図６（ａ）の要部拡大図である。
【発明を実施するための形態】
【００２７】
図１以下に車両のインサイドハンドル装置として構成された本発明の実施の形態を示す。
【００２８】
図１に示すように、インサイドハンドル装置は、ハンドルベース２に操作ハンドル１１とロックノブ３とを回転中心（Ｃ）周りに回転自在に連結して形成される。操作ハンドル１１とロックノブ３は、各々操作力伝達部材７としてのケーブル装置を介してドア内に固定されるドアロック装置６に連結される。
【００２９】
操作ハンドル１１とロックノブ３は各々独立に、図４（ａ）に示す初期回転位置と、図４（ａ）において回転中心（Ｃ）周りに時計回りに回転させた操作回転位置との間で回転操作可能であり、操作ハンドル１１を操作することにより、ドアの閉塞状態を保持するためにドアロック装置６に組み込まれたラッチの解除を行うことができ、ロックノブ３を操作回転位置まで回転操作すると、操作ハンドル１１によるラッチ解除操作を禁止することができる。
【００３０】
上記ハンドルベース２は周縁を立ち上がり壁としたトレイ形状に形成されており、操作ハンドル１１は、図３に示すように、対向する一対の周壁１３間に設けられるヒンジ支持壁１２と一方の対向周壁１３との間に固定されるハンドル用枢軸１４によりハンドルベース２に軸支される。
【００３１】
また、操作ハンドル１１のハンドル用枢軸１４周りにはトーションスプリング１５が巻装されており、操作ハンドル１１を初期位置側に付勢している。
【００３２】
これに対して、ロックノブ３は、他方の対向周壁１３とヒンジ支持壁１２に形成される突出軸状の軸形成部受容部５を孔状の軸形成部４に嵌合させることによりハンドルベース２に連結される。
【００３３】
さらに、上記ケーブル装置７は、図２に示すように、アウターケーブル７ａ内にインナーケーブル７ｂを移動自在に挿通させて形成されており、インナーケーブル７ｂの先端には、インナーケーブルの挿通方向に対してＬ字形状に折れ曲がったピン状のノブ連結端８が固定される。
【００３４】
図４に示すように、上記ケーブル装置７とロックノブ３とは、ケーブル装置７側のノブ連結端８をロックノブ３に形成された伝達部材連結部９に弾発的に係止させることにより相互に連結される。
【００３５】
以上のハンドルベース２は、底壁部に開設された孔状の取付部１を貫通する図外のビス等の止着子を使用してドアに固定される。ドアに固定した状態で止着子の頭部が外部に露出しないように、図１、図４（ａ）に示すように、取付部１はロックノブ３により覆われる位置に配置される。
【００３６】
図５、６に以上のように構成されるインサイドハンドル装置を車両のドアに取り付ける方法を示す。まず、ドアへの取り付けに際し、ハンドルベース２には操作ハンドル１１が予め組み込まれ、この状態のハンドルベース２をドアに固定する。上述したように、ドアへの固定は、取付部１に止着子を装着して行われる。
【００３７】
以上のようにしてハンドルベース２を固定した後、ロックノブ３を連結する。ロックノブ３のハンドルベース２への連結は、該ハンドルベース２が既にドアに固定されていることから、ハンドルベース２の表面側から裏面方向に押し込んで行われる。
【００３８】
ハンドルベース２には、上記ロックノブ３が押し込み方向に移動するスペースが形成されており、ロックノブ３は、図外のガイド部にガイドされて、図５（ｂ）、図６（ｂ）において矢印で示すように、表面側から裏面側に向かう所定の移動経路を移動することができる。
【００３９】
ロックノブ３を移動経路に沿って押し込むと、図５（ｂ）に示すように、ロックノブ３の軸形成部４は、移動経路終点に形成されたハンドルベース２上の軸形成部受容部５に当接し、この状態からさらにロックノブ３を押し込むと、ハンドルベース２の対向周壁１３が一旦弾性的に撓んで軸形成部４を軸形成部受容部５に受容した後、原位置に復帰し、軸形成部４と軸形成部受容部５とが弾発係止する。
【００４０】
ロックノブ３の押し込み操作によって軸形成部受容部５間の間隔を広げる力を発生させるために、ロックノブ３と軸形成部受容部５にはガイド斜面１６が形成される。
【００４１】
さらに、図６に示すように、ロックノブ３の伝達部材連結部９は、係止操作のための方向が移動経路終点側を向くように、該移動終点側、すなわち、裏面側に開口を向けたほぼ馬蹄形状に形成されている。この伝達部材連結部９は開口端に突出部９ａを設けることにより、開口部の間隔（Ｄ９）がノブ連結端８の直径（Ｄ８）に比してやや狭くされており、ノブ連結端８を弾発的に係止することができるように形成される。
【００４２】
また、ハンドルベース２には上記ノブ連結端８を仮保持するための保持部１０が設けられる。保持部１０はロックノブ３の移動経路終端側を開口させた馬蹄形状を有しており、ロックノブ３の移動経路途上に配置される。
【００４３】
この保持部１０の開口端の幅寸法は、ノブ連結端８の直径に比してやや小寸（寸法Ｄ１０）に形成され、該ノブ連結端８を離脱可能に弾発係止することができ、この状態で、ノブ連結端８は、ロックノブ３の伝達部材連結部９の移動経路上に自由端部を突き出した状態で保持される。
【００４４】
したがって本例において、ハンドルベース２のドアへの固定後、ロックノブ３の装着動作に先立って、まず、ノブ連結端８を保持部１０に嵌合させ、この後、ロックノブ３を押し込むと、ロックノブ３の伝達部材連結部９がノブ連結端８に当接する。
【００４５】
図６（ｂ）に示すように、伝達部材連結部９の開口がノブ連結端８に正確に正対するように、軸形成部受容部５にはガイド平面５ａが形成されるとともに、ロックノブ３には、上記ガイド平面５ａに摺接する円弧状膨隆部３ａが形成される。
【００４６】
また、伝達部材連結部９と保持部１０のノブ連結端８に対する保持力は、開口端間の幅寸法等を調整することによって保持部１０の保持力が伝達部材連結部９の保持力に比して大きくなるように設定されている。このために、伝達部材連結部９がノブ連結端８に当接した後、さらに押し込み力をロックノブ３に加えると、保持部１０は伝達部材連結部９とノブ連結端８とが弾発係止するまでノブ連結端８を保持することができ、この後、さらにロックノブ３に押し込み操作力を加えると、ノブ連結端８は保持部１０から離脱する。
【００４７】
したがって本例において、ロックノブ３の装着操作に伴ってノブ連結端８の連結操作も完了するために、組み付け作業性を向上させることができ、さらに、ハンドルベース２をドアに固定した後、適宜タイミングで操作ハンドル１１にケーブル装置７を連結することによりドアへの組み付けが完了する。
【符号の説明】
【００４８】
１        取付部
２        ハンドルベース
３        ロックノブ
４        軸形成部
５        軸形成部受容部
６        ドアロック装置
７        操作力伝達部材
８        ノブ連結端
９        伝達部材連結部
１０      保持部
【図１】
0006672009.tif 000002
【図２】
0006672009.tif 000003
【図３】
0006672009.tif 000004
【図４】
0006672009.tif 000005
【図５】
0006672009.tif 000006
【図６】
0006672009.tif 000007